Podtech/llm-jp-corpus-v4-ja_patent huggingface dataset:
(57)【要約】      （修正有）【課題】従来の花器は自浄能力のない貯水中に生花卉を挿入するため腐敗が生じ、換水の不合理性と総花卉同時挿し換えの不経済性があった。貯水の腐敗を防止し、生花卉の同時挿し換えの不経済をなくす。【解決手段】貯水腐敗を生じさせないために、花器形状をトックリ形の２重底構造とし、本体１の上部は細く筒状とし挿入花卉を束ねる用をなし、下部３は太く上底４とにより多量の貯水５を設ける。下底６には電気７による電動送風機８を設置する。電動送風機８よりの送気は上底４に設けた送気管１０を経て貯水５に放気され貯水５を浄化し、腐敗を防止する。【選択図】図１
2006000605.tif 000002
【特許請求の範囲】
【請求項１】
トックリ形で２重底講造を特徴とする花器
【請求項２】
浄化装置を内蔵した事を特徴とする花器
【請求項３】
常時浄化するため換水不要を特徴とする花器
【請求項４】
挿入花卉の日保ちが良くなった事を特徴とする
【発明の詳細な説明】
【技術分野】
【０００１】  この発明は花器貯水に関する。
〔背景技術〕【０００２】  従来の花器形状は図２に示すように筒状で貯水は少量であり自浄作用がなかった。
〔発明の関示〕
〔発明が解決しようとする課題〕【０００３】  以上の技術によれば自浄作用のない貯水に生花卉を挿入すると必然的に腐敗が生じ換水の不合理性と総花卉の同時挿し換えの不経済性があった。
〔課題を解決するための手段〕【０００４】  貯水を常時浄化する必要性があった。第１発明は花器をトックリ形２重底講造にした事を特徴とし、第３発明は常時浄化のため換水を不要とした事を特徴とする。
〔発明の効果〕【０００５】  第３の発明により換水が不要となり総花卉の同時挿し換えの必要がなくなり、弊花卉と新花卉の挿し換えは個々ですむようになった。
〔発明を実施するための最良の形態〕【０００６】  トックリ形２重底講造をした花器である。本体１の上部は細く筒状をなし挿入花卉を束ねる用をなし、下部３は太く上底４とにより貯水５の多量の用をなす。下底６は電気７による電動送気機８を設置する。８よりの送気９は、４に設置された送気管１０を経て５に放気され浄化する。水量計１１は５の量目の観測に用いる。花器口１２は花卉１３の挿入と補水に用いる。この発明の実施形態を図１に示す。
トックリ形２重底講造で浄化装置を花器に内蔵している。
〔実施形態の効果〕【０００７】  この実施状態によれば、常時浄化するため貯水の腐敗がなくなり換水不要の合理性と挿入花卉の総挿し換えの不経済性がなくなった。また軟茎花卉の挿入が可となった。
〔産業上の利用可能性〕【０００８】      墓地、神前、仏前のみでなく各所に各種、各様にわたり利用可能である。従来は硬茎花卉だけの挿入であったが、本発明では軟茎花卉挿入が可能となった。
【図面の簡単な説明】
【０００９】  〔図１〕  この発明の一実施状態を示す断面図である。
〔図２〕  従来技術を示す断面図である。
【符号の説明】
１  本体        ２  上部
３  下部        ４  上底
５  貯水        ６  下底
７  電線        ８  送気機
９  送気      １０  送気管
１１  水量計    １２  花器口
１３  花卉
【図１】
2006000605.tif 000003
【図２】
2006000605.tif 000004
(57)【要約】【課題】ベランダや勝手口等で使用するサンダルが、ホコリによる汚れや降雨時に濡れるのを防ぐ。【解決手段】サンダル１にドーム形状のカバー３ａ、３ｂ、３ｃ、３ｄ、３ｅを回転軸２に取り付け、サンダル１とドーム形状のカバー３ａは接合し、またドーム形状のカバー３ｅには重り６を合体した取っ手５を設け、各ドーム形状のカバーには、開閉時の送りリブ４ａ、４ｂ、４ｃ、４ｄ、４ｅ、４ｆ、４ｇ、４ｈ、４ｉを形成し構成されている。【選択図】    図２
2006000598.tif 000002
【特許請求の範囲】
【請求項１】
ベランダや勝手口等で使用するサンダルにあって、該サンダルの履く部分全体を、ホコリや雨等の汚れから防ぐため、容易に開閉可能なカバーを取り付け構成したことを特徴とするサンダル。
【請求項２】
防塵防雨用カバーは、複数個からなるドーム形状をしており、個々に連結可能なリブを設け、開閉時にそれぞれが連動して作動するように構成したことを特徴とする請求項１記載のサンダル。
【請求項３】
複数個からなるドーム形状の最内周カバーはサンダルに固定し、最外周カバーに取っ手をつけ、該取っ手に適度な重りを合体させ、手又は足の指先で、カバーの開閉を出来るように構成したことを特徴とする請求項１及び２記載のサンダル。
【請求項４】
複数個からなるドーム形状のカバーの開閉回転軸に、回転機構を設け構成したことを特徴とする請求項１〜３記載のサンダル。
【発明の詳細な説明】
【技術分野】
【０００１】本発明はサンダルに関するものである。
【背景技術】
【０００２】従来よりサンダルは、簡便な履物として、外出、会社等での作業、家庭のベランダや勝手口等各所で使用されている。
【発明が解決しようとする課題】
【０００３】しかし、従来から市販されているサンダルを、家庭のベランダや勝手口等で使用する際は出入り口にサンダルを置くが、徐々にホコリが付き、更には雨が降ると、該サンダル全体が濡れてしまい、この状態で使用すると、当然のことながら足が濡れたり、靴下などを履いていれば靴下ごと濡れたり、ときには汚れてしまうことがある。
【発明が解決する手段】
【０００４】本発明は、前記課題を解決する手段として、サンダルの履く部分に複数個からなるドーム形状のカバーを設け、それぞれのドーム形状のカバーに設けたリブにより、該ドーム形状のカバーを連結すると共に、最内周のドーム形状のカバーをサンダルに固定し、最外周に取り付けたドーム形状のカバーに、開閉時に使用する取っ手を設け、該取っ手に適度な重りを合体させることにより、開閉の際の若干の重りによる加速度と、また回転軸に対する垂直点の通過後の重りの重力の働きにより、開閉の動作が容易にできるように構成している。
【０００５】特に、高齢者及び身体の不自由（例えば腰等）な方でも、いちいちしゃがまず立ったまま足の指で楽に操作出来るように構成している。
【０００６】また、前記方法に加え、回転中心軸に歯車を設け、該歯車に連動する比率を変えた中継歯車を設け該歯車（他にベルト、プーリー等も使用出来る）に開閉動作をさせる取っ手を設けることにより、指の動作範囲が少なくて済み操作がより容易に出来るようにも構成出来る。
【発明の実施と形態】
【０００７】本発明の構成を図１〜図６によって説明する。サンダル１に回転軸２を嵌合し、ドーム形状のカバー３ａ、３ｂ、３ｃ、３ｄ、及び取っ手５と重り６が合体した３ｅの各リブ４ａ、４ｂ、４ｃ、４ｄ、４ｅ、４ｆ、４ｇ、４ｈ、４ｉをそれぞれ組み合わせ、回転軸２に取り付け、ドーム形状のカバー３ａの端面をサンダル１に接合し構成されている。
【０００８】また、前記の通り構成されたものに追加して、回転軸２に歯車７を取り付け、該歯車７とドーム形状のカバー３ｅを連動させ、歯車７と中継歯車８を噛み合わせ、該中継歯車８にレバー９ａ及び９ｂを連動し構成することも出来る。
【実施例】
【０００９】本発明の実施例を図１、図４、図５、図７によって説明する。ドーム形状のカバーが開いている場合、これを閉じるには、ドーム形状のカバー３ｅの取っ手５に手の指または、足の指を掛け、回転させるように持ち上げると、リブ４ｉと４ｇ、４ｈと４ｅ、４ｆと４ｃ、４ｄと４ａの順で接触しドーム形状のカバーは３ｅ、３ｄ、３ｃ、３ｂの順に送られ該ドーム形状のカバー３ａの上に閉じサンダルは使用出来る。【００１０】また、ドーム形状のカバーを開く場合は、該ドーム形状のカバー３ｅの取っ手５を、前記したように手または足の指を掛け、手前に引くとリブ４ｈと４ｇ、４ｆと４ｅ、４ｄと４ｃ、４ｂと４ａの順で接触しドーム形状のカバーは３ｂ、３ｃ、３ｄ、３ｅの順で開きサンダル全体を覆う。【００１１】また、回転軸２に歯車７を取り付け、該歯車７とドーム形状のカバー３ｅを連動させ、歯車７と中継歯車８を噛み合わせ、該歯車８にレバー９ａ、９ｂを連動し構成した機構の実施方法は、レバー９ａを押し下げると、前記した順序でドーム形状のカバーは閉じ、９ｂを押し下げると開く。
【発明の効果】
【００１１】本発明は、以上説明したような形態で実施され、以下に記載されるような効果を奏する。
【００１２】ベランダや勝手口等で使用するサンダルは降雨時放置しておくと、履く部分が雨で濡れやすいが、ドーム形状のカバーを開きサンダル全体を覆うことにより、濡れることがなく、使用の際いつでも気持ちよく使用出来る。
【００１３】ドーム形状のカバーの開閉が足の指先で立ったまま簡単に操作出来るため、特に高齢者、及び身体の不自由（例えば腰等）な方でも容易に使用出来る。
【００１４】ドーム形状のカバーの各コーナーはリブで形成されているため、サンダルをドーム形状のカバーで覆うことにより、雨滴が入らない。
【図面の簡単な説明】
【図１】本発明のサンダルに取り付けたドーム形状のカバーを開いた状態を示す平面図。
【図２】本発明のサンダルに取り付けたドーム形状のカバーを開いた状態を示す正面図。
【図３】本発明のサンダルに取り付けたドーム形状のカバーを開いた状態を示す縦断面図。
【図４】本発明のサンダルに取り付けたドーム形状のカバーを閉じた状態を示す正面図。
【図５】本発明のサンダルに取り付けたドーム形状のカバーに開閉機構を付け開いた状態を示す平面図。
【図６】本発明のサンダルに取り付けたドーム形状のカバーに開閉機構を付け開いた状態を示す正面図。
【図７】本発明のサンダルに取り付けたドーム形状のカバーに開閉機構を付け閉じた状態を示す正面図。
【符号の説明】
１：サンダル        ２：回転軸        ３ａ、３ｂ、３ｃ、３ｄ、３ｅ：ドーム形状のカバー        ４ａ、４ｂ、４ｃ、４ｄ、４ｅ、４ｆ、４ｇ、４ｈ、４ｉ：リブ        ５：取っ手        ６：重り        ７：歯車        ８：中継歯車        ９ａ、９ｂ：レバー
【図１】
2006000598.tif 000003
【図２】
2006000598.tif 000004
【図３】
2006000598.tif 000005
【図４】
2006000598.tif 000006
【図５】
2006000598.tif 000007
【図６】
2006000598.tif 000008
【図７】
2006000598.tif 000009
(57)【要約】【課題】天候に左右されずにいつでも室外のベランダ等に洗濯物を吊しておきたい。天候に関係なくいつでも洗濯物を室外のベランダ等に吊るしておけるのが目的であった。また雨が止んだあとでも着脱の手間なくカバーを開くことができる。【解決手段】塩化ビニール、ポリエチレン等の防水性、撥水性、防カビ、抗菌の材料でベランダ等の天井からの吊り下げ式の物干し金物の上部の方からカーテン式に覆うカバーを作った。【選択図】  図１
2006000570.tif 000002
【特許請求の範囲】
【請求項１】
塩化ビニール、ポリエチレン等で防水性、撥水性、防カビ、抗菌の材料（１）を使って室外のベランダ等の吊り下げ式物干し金物の上部に止め金具をつけてそれにナイロンやポリエチレン等の材料の洗濯ロープを固定してそれに取り付けるカーテン式の洗濯物干しカバー。
【請求項２】
上部にプラスチックまたはポリプロピレン等の材料を使ったカーテンリング、またはフックを通す穴を開けた請求項１の洗濯物干しカバー。
【請求項３】
下部の左右に砂袋または水袋等の重しをつけるための穴を開けた請求項１の洗濯物干しカバー。
【発明の詳細な説明】
【技術分野】
【０００１】本発明は防水性、防カビ性の材料をつかい物干し竿全体を覆うようにして使う洗濯物干しカーテンカバーに関するものである。
【背景技術】
【０００２】従来、洗濯物は室外干しするのが常識である。雨が降ると雨に濡れないように室内に洗濯物を吊るすため、室内は狭く感じカビなどの繁殖により室内および洗濯物が臭ってしまう。
また、室内干しだと通気性も悪くなかなか乾かない室内は湿気でじめじめした。
【発明の開示】
【発明が解決しようとする課題】
【０００３】本発明はその欠点をなくすために天候に左右されずいつでも室外のベランダ等に雨に濡れず干す事ができる。雨が降っても室内に吊るさなくてよい。
【課題を解決するための手段】
【０００４】天候に左右されずいつでも洗濯物をベランダ等の室外に干す事ができるもの、それには塩化ビニールやポリエチレン等の防水性、防カビ性、抗菌等の材料（１）でベランダ等の天井からの吊り下げ式の物干し金物の上部の方からカーテン式に覆うようにすることが最上であることを発見した。
【発明の効果】
【０００５】本発明は以上のような構成であるから天候を気にすることなく、いつでも室外のベランダ等に雨に濡れずに洗濯物を干す事ができる。
雨が止んだらカバーをあければよい。着脱する手間もない。雨が降ってきてもすぐに洗濯物を取り込まなくてよい。また、乾いていない洗濯物を室内に取り込まなくてよいので雨の日でも快適に過ごすことができる。
【発明を実施するための最良の形態】
【０００６】本発明は以上のような構成であるから、雨が止んだら雨よけカバーを開けることで通常の状態にすぐに戻すことができた。
本発明を実施するために、カバーの上部に開閉をスムーズにおこなうために、リングまたはフック等を通すための穴を開けた。また、強雨風で本カバーがめくれないようにカバー下の左右に重しをつけるための穴を開けた。
【実施例】
【０００７】本発明の取り付け方法は室外のベランダ等の天井から吊り下がる物干し金物の棒に止め金具を左右に取り付け、そこへナイロンやポリエチレン等の洗濯ロープを通してポリプロピレン等のストップフックやストッパー等でロープを固定して、本発明を取り付ける強風などで本発明がめくりあがらないように、本発明の左右の下部へそれぞれ砂袋や水袋等の重しをつける。
【図面の簡単な説明】
【０００８】
【図１】  正面図  本発明を広げたもの。
【符号の説明】
【０００９】（１）留め金具
（２）塩化ビニールまたはポリエチレン等の防水性、撥水性、防カビ、抗菌素材
（３）砂袋または水袋の重し
（４）吊り下げる穴
（５）カーテンのリングまたはフック
（６）リングまたはフック等の通し穴
（７）吊り下げ式物干し金物
【図１】
2006000570.tif 000003
(57)【要約】      （修正有）【課題】平板状では歩行の障害となった踏み抜き防止板を屈撓性を有するものとすることで、耐踏み抜き性安全靴の歩行性を良好なものとした。【解決手段】一つは部品を可動なまま連結して外底と中底の間に配し、または外底に埋め込むことで蝶番状の動きを確保したもの、また部品を交互に配し、外底に埋め込み固定することにより屈撓性を確保した踏み抜き防止板を耐踏み抜き防止性安全靴に使用することにより、従来の平板状の踏み抜き防止板を使用したもので問題となっていた歩行時の足の曲がりを阻害する状態を改善し、使用時の安全性と良好な歩行性を確保した。【選択図】図２
2006000561.tif 000002
【特許請求の範囲】
【請求項１】
安全靴において、屈撓性を有する踏み抜き防止板を中底と外底の間もしくは外底に埋め込む形で配置されたことを特徴とする、耐踏み抜き性安全靴。
【請求項２】
屈撓性踏み抜き防止板が小片の連結という形態によりなることを特徴とする請求項１記載の耐踏み抜き性安全靴。
【請求項３】
屈撓性踏み抜き防止板が小片を交互に上下二段に並べられ、且つそれぞれが重なり合う部分を有するように配置された事を特徴とする請求項１記載の耐踏み抜き性安全靴。
【請求項４】
請求項３記載の小片の形状が一定の円弧を描くよう曲折または、両端がある角度をもって曲折している事を特徴とする請求項３記載の耐踏み抜き性安全靴。
【発明の詳細な説明】
【技術分野】
【０００１】
本発明は、スムーズな歩行ができ、耐踏み抜き性に優れた安全靴に関するものである。
【背景技術】
【０００２】
安全靴における踏み抜き強度は、ＪＩＳ規格Ｔ８１０１において１１００Ｎ以上と規定されている。
従来、この踏み抜き強度を上回るため金属の継ぎ目のない平板が、中底と外底の間に配されることがほとんどで、そのため屈撓性が著しく損なわれ、本来は人間の歩行時に屈折すべき指と踏みつけ部の境が曲がらず、通常の歩行形態が取れないことで転倒などの危険が指摘されていた
【０００３】
これを改良すべく踏み抜き防止板形状について、特開平９−２１５５０２号公報に示される金属リングの組合わせや、特開平７−４７００２号公報で示されている金属メッシュの使用などが提案されている。
【０００４】
しかしながら、踏み抜きを防止するためにはリングの組合わせの場合、リングの配置密度をあげる必要があり、結果的に屈撓性を得ることは難しい。
また、金属メッシュにおいても１枚ではＪＩＳ規格を越えることは難しく、その結果複数枚の使用を余儀なくされ、やはり屈撓性を得るのは困難なのが現状である。
【特許文献１】特開平９−２１５５０２号公報
【発明の開示】
【発明が解決しようとする課題】
【０００５】
解決しようとする問題点は、ＪＩＳ規格の踏み抜き強度を上回りながらも、通常の靴のような歩行を可能にする点である。
【課題を解決するための手段】
【０００６】
本発明は、進行方向に垂直に踏み抜き防止板が屈撓することを特徴とする。
【発明の効果】
【０００７】
本発明の耐踏み抜き性安全靴は、その外底内に埋め込まれもしくは中底と外底の間に配される踏み抜き防止板が、１枚の板状ではなく関節を持った形状や交互上下二段のセットによる方法などにより、安全靴底の屈撓性を獲得し、歩行に支障を与えないことを特徴とする。
【発明を実施するための最良の形態】
【０００８】
安全靴の歩行性能を通常の靴と同様に維持しながら、耐踏み抜き性能を獲得した。
【実施例１】
【０００９】
図１は、通常使用されている金属平板を踏み抜き防止板とした安全靴の構造図である。
踏み抜き防止板は中底と外底の間に接着剤を使用することで固定される方法が一般的である。
【００１０】
図２は請求項２記載の小片を連結した本発明踏み抜き防止板の連結部拡大図である。この小片ｇは金属であるが、その材質としてはステンレス、鉄、アルミニウム、ＦＲＰなど、要求される踏み抜き強度を満たす物で有れば特定されることはない。
【００１１】
形状としては接続部が凹凸となっており、そこに接続されるもう一方の小片はその逆型となる。
接続される状態に置き、共有される部分に穴を開け、幅と同じ長さの連結棒ｈを通して連結し、蝶番と同様の構造とする。この時の小片の凹凸の形状は共有する
【００１２】
この靴底形状で小片が接続された踏み抜き防止板の結合部を除いて、ケムロック等の加熱硬化型接着剤で処理し、成形時点で外底と中底の間にセットする。
セット後は通常のゴム底靴の成形を行い、加硫工程を経て完成する。図５がその完成構造図である。
【００１３】
小片が連結されたことによってなる当該踏み抜き防止板は連結部が接着されていないため、蝶番と同様の動きをすることから歩行の障害とならない。
図６は静止状態の時のゴム底の構造図、図７は歩き出すときのゴム底の状態であり、前述のように蝶番状の動きから当該踏み抜き防止板はゴム底の屈撓を妨げない。
【００１４】
図８は図７の逆の動きであり、障害物の上に足を乗せた時のゴム底であり、板状の踏み抜き防止板を使用した場合であれば不安定となるが、当該踏み抜き防止板であれば安定した状態を得られる。
【００１５】
図３は請求項３記載の上下二段の交互配置される踏み抜き防止板の拡大図であり、図４はゴム底内にセットされた状態を示す。このような配置とすることで、実施例１と同様の効果をもたらす。
【産業上の利用可能性】
【００１６】
実施例１では中底と外底の間に接着したが、外底のホットプレス時に金型にセットされるゴムの間に挿入してホットプレスを行うことにより、より強固に当該踏み抜き防止板を固定することが可能となる。
【図面の簡単な説明】
【００１７】
【図１】従来の耐踏み抜き防止性安全靴の構造図である。
【図２】屈撓性踏み抜き防止板構造拡大図である。（実施例１）
【図３】屈撓性踏み抜き防止板のもう一つの配置拡大図である。
【図４】図３をゴム底に配置した時の構造図である。
【図５】図２をゴム底に配置した構造図である。（実施例１）
【図６】図５の構造の底部分のみの静置状態図である。
【図７】図５の構造の底部分のみの歩き出しの状態図である。
【図８】図５の構造の底部分のみの障害物を踏み付けた時の状態図である。
【符号の説明】
【００１８】
ａ    靴胴部
ｂ    安全靴先芯
ｃ    中底
ｄ    平板状踏み抜き防止板
ｅ    外底
ｆ    交互配置型屈撓性踏み抜き防止板部品
ｇ    蝶番型屈撓性踏み抜き防止板部品
ｈ    ｇを連結する金属棒
ｉ    障害物
【図１】
2006000561.tif 000003
【図２】
2006000561.tif 000004
【図３】
2006000561.tif 000005
【図４】
2006000561.tif 000006
【図５】
2006000561.tif 000007
【図６】
2006000561.tif 000008
【図７】
2006000561.tif 000009
【図８】
2006000561.tif 000010
(57)【要約】［課題］    私は何十年と痔が悪く亦出血する。それを奇麗に拭いたい。また、排便がこびり付いて困ることもある。女性の方はメンスの折の局部清拭には困って来られたことであろう。長年この解決をテーマにしていたが、やっと良案が発明できた。［解決手段］    前以て湿して置くのでは無く、その場でドライペーパーを霧吹き器で以て湿してウエットペーパーとして使用できるように、手動式あるいは電動式の霧吹き器を設置した、ウエットペーパートイレット。［選択図］    なし。【特許請求の範囲】
【請求項１】
前以て湿して置くのでは無く、その場でドライペーパーを霧吹き器で以て湿してウエットペーパーとして使用できるように、手動式あるいは電動式の霧吹き器を設置した、ウエットペーパートイレット（ｗｅｔｐａｐｅｒｔｏｉｌｅｔ）。
【請求項２】
「請求項１」における「ウエットペーパートイレット」における「霧吹き器」において、その容器部を一定温度を保つ電気温水器とした、一定温度温水霧吹き器。
【請求項３】
「請求項２」における「ウエットペーパートイレット」における「一定温度温水霧吹き器」において、噴霧ノズルに加えてホース使用型噴水ノズルを設けてビデ（婦人用局所洗浄器）としても使用できるようにした、ビデ兼用一定温度温水霧吹き器。
【請求項４】
「請求項２」における「ウエットペーパートイレット」における「一定温度温水霧吹き器」において、噴霧ノズルをホース使用型噴水ノズルあるいはホース不使用局所覆嵌型噴水ノズルに取り替えて便座型の坐座を上手く設けた、固定式あるいは移動式のバスルーム用のビデ（婦人用局所洗浄器）。
【請求項５】
「請求項１」などにおける「ウエットペーパートイレ」における亦従来のウオッシュレットを含む「洋式便器」における環状でない「環状二つ割り型便座」において、それに被せて使用する為に、適切な紙で以てゆったりと袋状に「チャック止め」（カリタ・コーヒー濾紙を参照）などで成形した、紙製使い捨て便座カバー。
【発明の詳細な説明】
【発明の説明】
【９００００００００１】  私は、もう３０年間も痔から殆ど毎日のように出血する。２年くらい前までは、それに加えて痔が腫れて膨らんで用便後ペーパーが上手く使えない程であった。随分永い間困り続けたのであるが、ある時、ペーパーを水で湿して使用することに気づき試して見ると相当楽であった。（公序良俗違反につき、不掲載）  一昨日であったか、デパートのトイレを使用していて排便が落ち難く周囲まで汚して、改めてウエットペーパーの必要性を実感した。しかし、所謂公衆トイレにウエットペーパーを備えるに中々よい方法が浮かばない。以前私はアイロン用の霧吹き器で以て湿して使用していたので、それを思い出し、霧吹き器を何らかの形で以て盗まれないように然も奇麗に設置すれば宜しいことに気づいた。  いろいろな形式の物をいろいろな方法で設置することが考えられる。手動式でも宜しいし電動式でも宜しい。ノズルが固定的な物でも宜しいしホースの先端に設けた物でも宜しい。但し冬のことを考えると、適当な温水が噴霧されるのが宜しい。  これは東陶などの便器メーカーと組んで便器に応じた物を種々開発したいと考えた。勿論業務用にも家庭用にもである。  今日、ウオッシュレットと言う清浄用温水の噴水する便座が相当普及している。余り使用したことが無いので、汚れの落ち具合などはよく判らないが、何れにしても使用後ペーパーで拭かなくてはならないので、余り、便利な物とは言えない。そして、洋式便器にしか使えない物なので、全てのトイレにと言う物ではない。また、その便座には肌を接しなくてはならないので、使用前毎に清潔にする方法が要るが今の所では上手い方法を考案した人はないらしい。  私は、もう半年も前に、その環状便座を前で二つに割って、それに紙製のカバーを嵌めて毎度取り替えて使用することを発明した。オフイスやデパートやホテルなどにおいてのみならず高所得家庭でも普通洋式便座用としても使用して貰えると考えている。  本発明は、ウオシュレットの普及を抑えるかも知れないが、和式・洋式を問わず、トイレに改新をもたらし、その機器業界と工事業者に何十年ぶりかの活気を期待させよう。  なお、本発明は女性のメンスの処置の際にも多いに重宝されよう。  水洗に流せる湿しても分解し難いペーパーの開発を製紙業界に是非お願いしたい。  また、本稿を纏める過程で思い付いたのであるが、本発明における「温水霧吹き器」を単独にか兼用でか応用してビデ（ｂｉｄｅｔ）（婦人用局部洗浄器）も併せ開発し家庭でもホテルにおいても気軽に容易く避妊処理して貰えるようにトイレやバスを改良して貰おうと考えた。  経済が回復できて個人所得が上昇し始めると、トイレやバスが古くなり気分を害している方たちも多いので、本発明に対する需要も多いに発生するに違いないと期待している。
(57)【要約】【課題】  商品陳列用掛け具の掛け棒の先端部を保護し危険物になることのないようにした、容易に取付け可能な商品掛け具用安全カバーを提供する。【解決手段】  デパート・スーパー・コンビニ等で商品陳列用の取付け棒等に使用する安全カバーで、支持棒・掛け棒を持った２本もの、又掛け棒のみの１本ものにも利用でき、容易に取付け可能で弾性のある樹脂製であり、金属製、又は樹脂製の掛け具の突出した突起部の先端部を安全カバーが覆い、目線の高さの子供等の目・顔などを保護し、又、安全カバーを掛け具の丸棒に挿入時に安全カバーが回転しないように特殊な柔らかい樹脂のライナーを挿入し、安全カバーの回転及びすべりをほぼ止めた商品掛け具安全カバー。【選択図】  図１
2006000585.tif 000002
【特許請求の範囲】
【請求項１】
商品陳列用商品取付け棒の商品掛け具の先端突出部の安全を守る安全カバーを設けた事を特徴とする商品掛け具安全カバー。
【請求項２】
安全カバーを弾力性のある樹脂を使用し、安価に製造でき又、容易に取付けることができることを特徴とする請求項１記載の商品掛け具安全カバー。
【請求項３】
商品陳列用商品取付け棒に安全カバーを挿入した際に、安全カバーの回転を止めるために、特殊な樹脂の弾力性のある柔らかいライナーをブロックの中に挿入したことを特徴とする請求項１〜２記載の商品掛け具安全カバー。
【請求項４】
商品陳列用商品取付け棒において、支持具と掛け具の２本組みと、掛け具１本の取付け棒においてもブロック部の逆にする事で対応可能なことを特徴とする請求項１３記載の商品掛け具安全カバー。
【請求項５】
既存の商品陳列用取付け棒において、現行の取付け棒のままで容易に取付け可能なことを最大の特徴とする請求項１〜４記載の商品掛け具安全カバー。
【発明の詳細な説明】
【技術分野】
【０００１】  本発明は、デパート・スーパー・コンビニ等で商品陳列に使用する商品掛け具の先端を安全に守るカバーに関するものである。
【背景技術】
【０００２】  従来、デパート・スーパー／コンビニ等で陳列用の商品掛け具には一本ものと二本ものががあるが、その掛け具の金属あるいは合成樹脂で成形された樹脂棒の先端の安全性を考えたカバーはなく、極めて危険な状態のままで、現在まで安全対策がなされていなかった。
【発明の開示】
【発明が解決しようとする課題】
【０００３】  それには次のような問題点があった。
（イ）商品陳列用商品掛け具の金属製の先端部、あるいは、合成樹脂で成形された樹脂棒の先端部に安全カバーがなく危険であった。
（ロ）商品陳列用商品掛け具の先端部の安全性に対する対策がなされておらず、動きの早い子供達にとっては非常に危険であった。
（ハ）デパート・スーパー・コンビニ等には、現時点で商品陳列用掛け具は相当数設置されており、それらの商品掛け具を、全て交換は不可能であるため、簡単に取付け可能な安全カバーが必要である。
本発明は、以上の問題点を解決するためのものである。
【問題を解決するための手段】
【０００４】  従来は、使用されている商品陳列用掛け具は支持棒と掛け棒の２本、あるいは掛け棒１本で使用されており、これらに商品掛け具安全カバーを掛け棒に差し込む。この安全カバーは合成樹脂製とし、支持棒と掛け棒の２本もの図１については、掛け具の後端部の支持棒に取付け、前方側を掛け棒の先端より前方にまで延長させ更に掛け棒の先端をカバーするようにした細長い安全カバーを設けている。掛け棒１本ものに付いては、図２の安全カバーを使用する。
【発明の効果】
【０００５】  従来の商品陳列用掛け具は金属製丸棒、あるいは、合成樹脂製の樹脂棒で製造されており、それら全ての形状の商品掛け具に容易に取付け可能であり、棒の先端を安全にカバーでき、目・顔等を傷つけることはない。特に幼児・子供等の目線の位置の陳列箇所で使用すると効果的であり、又合成樹脂製で製作するため軽い上、安価で製作できる、かなり効果がある。
【発明を実施するための最良の形態】
【０００６】以下、本発明の実施の形態を説明する。
（イ）商品陳列用掛け具は掛け棒と支持棒の二本の掛け具に、あるいは一本からなる掛け具に使用する安全カバー（１）からなり、その支持棒の先端部に取付ける。
（ロ）安全カバー（１）の後端にブロック（２）を設け、支持棒がちょうどはまるくぼみ（３）をブロック２の上方に設けている。
（ハ）安全カバー（１）は長方形の板状に形成し、前側は下方へ緩やかに湾曲させている。
（ニ）安全カバー（１）は弾力のある材料で製作している。
（ホ）安全カバー（１）においてくぼみ（３）の内側に材料の柔らかい樹脂のライナー（４）を挿入し安全カバー１が回転しないように設ける。
（ヘ）安全カバー（１）の後部、ブロック２を図２の用に下向きにし、長方形の板状の前側は下方へ穏やかに湾曲したものもあり、一本用の掛け具として使用する。
本発明は、以上の構成よりなっている。
これを使用するときは、店内の商品陳列用の支持棒、あるいは商品掛け具等に安全カバーをはめて取付ける。安全カバーを支持棒、あるいは商品掛け具の先端部の最適な位置に移動して先端部の突起をカバーする。安全カバーが掛け具の先端部をカバーしているため、顔を近づけても目等を保護する。安全カバー１は弾力性を持っているため、商品の出し入れ時には弾性変形をし、出し入れの障害にならない。又、安全カバー（１）はポリプロピレン・クリアレン・ＥＶＡ樹脂等製作し、ライナー（４）は安全カバーよりは柔らかい樹脂が良い。
【図面の簡単な説明】
【０００７】
【図１】  本発明の正面図Ａ
【図２】  本発明の正面図Ｂ
【図３】  本発明Ａの左側面図
【図４】  本発明Ａの右側面図
【図５】  本発明Ｂの左側面図
【図６】  本発明Ａの平面図
【図７】  本発明Ｂの平面図
【図８】  本発明Ａの斜視図
【図９】  本発明Ｂの斜視図
【図１０】  本発明のブロック部の断面図
【図１１】  本発明のブロック部の側面断面図
【図１２】  本発明のライナーの正面図
【図１３】  本発明のライナーの平面図
【図１４】  本発明のライナーの側面図
【図１５】  本発明のライナーの底面図
【符号の説明】
【０００８】１    安全カバーＡ
１’  安全カバーＢ
２    ブロック
３    くぼみ
４    ライナー
【図１】
2006000585.tif 000003
【図２】
2006000585.tif 000004
【図３】
2006000585.tif 000005
【図４】
2006000585.tif 000006
【図５】
2006000585.tif 000007
【図６】
2006000585.tif 000008
【図７】
2006000585.tif 000009
【図８】
2006000585.tif 000010
【図９】
2006000585.tif 000011
【図１０】
2006000585.tif 000012
【図１１】
2006000585.tif 000013
【図１２】
2006000585.tif 000014
【図１３】
2006000585.tif 000015
【図１４】
2006000585.tif 000016
【図１５】
2006000585.tif 000017
(57)【要約】【課題】メガネのレンズ汚れ除去と、収納を簡易化し、携帯もできるメガネレンズ汚れ除去収納スタンドを提供する。【解決手段】内面に拭き取り布を設けた基台と、押さえ板の間にメガネのレンズ部を、下部から内側を手前に向け差し込み、出し入れする事により、自動的に汚れが除去でき、固定した台座から、取り外す事により携帯もできるメガネ汚れ除去収納スタンド。【選択図】  図  １
2006000582.tif 000002
【特許請求の範囲】
【請求項１】
内面に拭き取り布を取り付けた基台と押さえ片の間に、メガネのレンズ部を差し込み、拭き取り布をレンズに密着させ収納し、出し入れをする事により汚れを除去する、また、固定した台座を使用する事で、片手での出し入れができる事を特徴とする、メガネ汚れ除去収納スタンド。
【発明の詳細な説明】
【技術分野】
【０００１】  本発明は、メガネを収納するとともにメガネの収納及び取り出し時にレンズの汚れを除去するメガネ汚れ除去収納スタンドに関するものである。
【背景技術】
【０００２】  従来、メガネのレンズに付着した汚れは、布、紙、等を用いて、息を吹きかけながら手作業で取り除いていた、また、メガネケースからの出し入れも両手を使う事は常識であった。
【発明の開示】
【発明が解決しようとする課題】
【０００３】  そのために、次のような問題点があった。
メガネレンズの汚れは気になり、毎日何度もレンズ拭きを行う事は、煩わしく、また、手にけがなどをしている時は、片方の手でのメガネケースからの出し入れや、レンズの清掃が非常に困難であった。
【課題を解決するための手段】
【０００４】  メガネ前面緩衝板と、レンズ内面押さえ板を取り付けた基台内面に、拭き取り布を取り付け、メガネの形状に合わせ拭き取り布が、レンズ両面に密着するように押さえ片部を折り曲げる事により、出し入れする都度レンズの汚れ除去ができる。基台の背面と、折り曲げ外側の形状に合わせた台座を設け、これに基台を取り付ける事により片方の手だけでメガネの出し入れと、レンズ汚れ拭き取りができ、取り外して携帯もできる。
以上を特徴とする、メガネ汚れ除去収納スタンドである。
【発明の効果】
【０００５】  本発明は、メガネ出し入れにより、自動的にレンズの汚れが除去され、レンズ清掃の手間を大幅に軽減できる、また、固定した台座の使用により、収納、取り出し、清掃が片方の手で簡単に行える。
【発明を実施するための最良の形態】
【０００６】    以下、本発明の実施の形態を説明する。
（イ）合成樹脂など、適度な弾力を持つ素材を用いて、基台（１）をメガネの形状に合わせ、メガネレンズを挟む形で、押さえ片（５）が各レンズの中央に位置するように成形する。
（ロ）メガネの形状に合わせた、略楕円形のスポンジ材からなる緩衝板（４）の左右にメガネレンズよりやや小さめの空洞部（３）を２個設ける。
（ハ）基台内面（１２）に緩衝板（４）を設け、基台（１）に載せたメガネのレンズを上より緩衝板（４）と押さえつけて挟むように２個設けた押さえ片（５）の内側にスポンジ材からなる押さえ板（６）を設ける。
（ニ）基台（１）の緩衝板（４）及び押さえ板（６）の表面を拭き取り布（２）で被覆する。
（ホ）基台（１）の下底面に面ファスナー牝片（７）を設ける。
（ヘ）基台（１）の受け部となる台座（９）の表面に面ファスナー牡片（８）を設けて基台（１）面ファスナー牝片（７）と台座（９）の面ファスナー牡片（８）に着脱自在とする。
（ト）台座（９）の底板（１０）下面に固定用両面テープを設ける。
本発明は、以上の構成によりなっている。
本発明を使用する時は、メガネ収納スタンドに、メバネレンズの内面が手前になるように、レンズ下部から差し込み、出し入れする、その際に、拭き取り布（２）がレンズ内、外面に接している事により、自動的にレンズ汚れが取り除かれる、また、固定した台座（９）に取り付ける事により、片手だけで、出し入れ、清掃を簡単に行える。
【図面の簡単な説明】
【０００７】
【図１】  本発明の斜視図
【図２】  本発明の基台の分解斜視図
【図３】  本発明の断面図
【図４】  本発明の台座斜視図
【符号の説明】
【０００８】  １  基台
２  拭き取り布
３  空洞部
４  緩衝板
５  押さえ片
６  押さえ板
７  面ファスナー牝片
８  面ファスナー牡片
９  台座
１０  底板
１１  両面テープ
１２  基台内面
【図１】
2006000582.tif 000003
【図２】
2006000582.tif 000004
【図３】
2006000582.tif 000005
【図４】
2006000582.tif 000006
(57)【要約】【課題】  この発明は、細かな毛もほとんど飛散させないで、毛づくろいをしながら体が洗えるブラシに関するものである。【解決手段】内部を中空にしたブラシの柄（３）の末端に設けたくち（６）から、水を注入してふた（５）をし、毛づくろいをしながら体を洗う。あるいは、くち（６）を水道用のホースに差し込み、水を流しながら使用する。【選択図】  図１
2006000587.tif 000002
【特許請求の範囲】
【請求項１】
（イ）内部を空洞にしたブラシの歯（２）の先端に、小さな穴を開ける。
（ロ）ブラシの柄（３）の末端にくち（６）を設け、そのくちをふさぐふた（５）を取り付ける。
（ハ）ふた（５）をはずすと、くち（６）の部分は水道用のホースに差し込める。
以上の如く構成された、毛をすきながら体が洗えるブラシ。
【請求項２】
本体（１）を横長にし、歯の数と配列を変えた、請求項１の毛をすきながら体を洗えるブラシ。
【請求項３】
水の噴出する穴をブラシの歯と歯の間に設けた、請求項１の毛をすきながら体を洗えるブラシ。
【発明の詳細な説明】
【発明の詳細な説明】
【技術分野】
【０００１】  この発明は、内部を中空にしたブラシの歯の先端から水を噴出させ、毛をすきながら体を洗えるブラシに関するものである。
【背景技術】
【０００２】  従来のブラシは、主にペットの毛をすき取ること、あるいは掃除機を利用して飛散する毛を吸引することに重点が置かれたものであったが、細かい毛は想像以上に飛散して近隣に迷惑をかけ、特に小児ぜん息・アレルギー体質の人には、衛生面でも問題を残している。
【発明が解決しようとする課題】
【０００３】  細心の注意を払ってペットの毛をすいても、細かい繊毛の飛散を防ぐことができず飼い主を困らせていたが、本発明はこの悩みを解決するために作られたものである。
【課題を解決するための手段】
【０００４】  いま、その構成を説明すると、
（イ）内部が空洞のブラシの歯の先端に、小さな穴を開ける。
（ロ）ブラシの柄（３）の末端にくち（６）を設け、そのくちをふさぐふた（５）を取り付ける。
（ハ）そのふたをはずすと、くちの部分は水道用のホースが差し込める。
【発明を実施するための最良の形態】
【０００５】  次に本発明の実施の形態を述べると、内部が空洞のブラシの柄（３）の末端に設けたくち（６）から水を入れてふた（５）をする。歯（２）の先端に開けた小さな穴から水がでるので、毛は飛散せずに歯にすき取られ、同時に体も洗うことができる。すくい取る毛の量を多くするために、歯の表面に縦または横あるいは斜めに溝を付ける。
また、くち（６）に水道用のホースを接続して、水道水を流しながら使用することもできる。歯の形はＶ字形のほか、中央部をふくらませた擬宝珠型（図３）や元部半分を太くした形（図４）にすると、毛の長いペットにはさらに高い効果が得られる。
【発明の効果】
【０００６】  歯の先端からでた水はペットの毛を濡らすので、細かい毛もあまり飛散させずに毛をすき取ることができるため、自宅内と近隣の環境を清潔に保つことができる。また、同時に体も洗えるので、ペット自身の健康も向上させることができる。
【図面の簡単な説明】
【図１】  本発明の斜視図
【図２】  歯の拡大断面図
【図３】  擬宝珠形の歯の図
【図４】  元部半分を太くした歯の図
【図５】  本発明の他の実施例の斜視図
【符号の説明】
１本体
２歯
３柄
４ひも
５ふた
６くち
【図１】
2006000587.tif 000003
【図２】
2006000587.tif 000004
【図３】
2006000587.tif 000005
【図４】
2006000587.tif 000006
【図５】
2006000587.tif 000007
(57)【要約】      （修正有）【課題】洗濯物を干す場合、ハンガー等を竿に掛けクリップで挟んでおくのが一般的であるが、ひとつひとつ止めなければならず、多忙の今日、特に単身赴任者など時間との戦いでゆとりがない。本装置によって時間的ゆとりをもたらし、社会生活に貢献できる洗濯物干し装置の提供。【解決手段】物干し竿Ｂに装置Ａをセットし、逆Ｔ字溝穴４にハンガーをフックすることで風向きに関係なく、洗濯物は飛んで行くことがない。耐風性能を有するハンガー利用の物干し装置。【選択図】図１
2006000588.tif 000002
【特許請求の範囲】
【請求項１】
耐風性能を有するハンガー利用の洗濯物干し装置耐風性を有する物干し装置Ａは物干し竿Ｂにセットされハンガー１−１において矢印は風の流れを示し、点線１−２に移動吹き上げ風においてＮのスライドガイドに保持されたガイドが２−２点線のように移動する、耐風性能を有するハンガー利用の洗濯物干し装置。
【発明の詳細な説明】
【発明の詳細な説明】
【技術分野】
【００１】本発明は耐風性を有する物干し装置で物干し竿の上部にセット吹き上げ風等にも対応できる装置に関する。
【背景技術】
【００２】従来一般的にハンガー等を用い洗濯物を干す場合風に飛ばされないようにクリップで止めるのが従来の方法で適切でない。
【発明が解決しようとする課題】
【００３】今日多く使用されている耐風除け洗濯物干しとしてクリップ挟みであるがひとつひとつ止めなければならず単身赴任者の多い今日、時間的ゆとりをもたらすため早急に家事の一端としての合理的装置である。
【００４】本発明はこのような状況を考慮して弱バネ圧部材を物干し竿にセットできるよう加工、長方半プラス円形。図３のように製作風がいずれの方向から吹いても物干しハンガーが飛ばぬよう合理的用途を得ることができる。
【課題を解決するための手段】
【００５】上記目的を達成するため本発明は円上の垂直板側面に逆Ｔ字形の切り抜き側面にスライド式のストッパー第一図符号３及び２−１をスポット溶接Ｎによって固着符号２−２のように移動吹き上げ風にも耐えうる、耐風性能を有する物干し装置。
【発明実施の形態】
【００６】図１は一部破断線入りの側面図でＡは垂直板を示しＢは物干し竿にセットされた状態を示す。１−１はハンガーの一部分を示し風が矢印のように吹いた場合点線１−２に移動して止まることを示す。２はスライダーで３のガイドで保持されることを示す。２−２はスライダーの移動を示し４は逆Ｔ字形の切り抜きを示す。図２は装置の側面単体図でＡのＲ形状の上部垂直板は一体成形されたことを示し２−１のスライダーは３のガイドによって保持されＮによって溶着されることを示しそれぞれのＮはスポット溶着を示す。図３は第２図の側面図で一枚のバネ圧性金属板によって加工されていることを示し垂直板部分の側面にスライド装置２−１及び３が固着されていることを示す。図４は破断線入りの装置の一部平面図でスライド装置２−１のつまみ部分を示す。図５装置Ａと物干し竿Ｂが結合された断面図である。図６は装置の分解部品の平面図３を示す。（拡大）図７は第６図の側面図３を示す。（拡大）図８はスライダーの平面図２−１を示す。（拡大）図９は第３図の側面図２−１を示し以上から成る。（拡大）
【図面の簡単な説明】
【図１】破断線入りの使用状態を示す側面図でＡの装置と竿のＢが結合、１−１ハンガー矢印は風の流れを示し点線のように移動を示し強風の場合符号２−１を点線２−２に移動できることを示す。
【図２】装置Ａの破断線入りの単体図である。
【図３】第２図の側面図である。
【図４】装置Ａの一部を示す破断入りの平面図である。
【図５】装置ＡとＢが組合せの側面図である。
【図６】レバースライド３のガイド拡大平面部品図である。
【図７】第６図の側面図である。
【図８】スライダーレバー２−１の拡大平面図である。
【図９】第８図の側面図である。
【図１】
2006000588.tif 000003
【図２】
2006000588.tif 000004
【図３】
2006000588.tif 000005
【図４】
2006000588.tif 000006
【図５】
2006000588.tif 000007
【図６】
2006000588.tif 000008
【図７】
2006000588.tif 000009
【図８】
2006000588.tif 000010
【図９】
2006000588.tif 000011
(57)【要約】      （修正有）【課題】カーテンの取付け作業中にフックが脱落しないように、カーテンを洗濯機で洗う際にフックの存在が支障にならないように、又カーテンをアイロンプレスする際にフックの存在が支障にならないように、又今まで一般に供給され使われてきたフックを利用できるように考案された、カーテン用テープを提供する。【解決手段】カーテン用テープ５に、フック取付け用袋部６とフック収納用袋部８を同時に設けることにより解決をはかる。【選択図】図４
2006000584.tif 000002
【特許請求の範囲】
【請求項１】
カーテン吊下げ部に縫い付けるカーテン用テープにおいて、カーテン吊り下げフックを取付けるための袋部と、洗濯時などにフックを収納するための袋部を同時に設けたことを特徴とする、カーテン用テープ。
【発明の詳細な説明】
【技術分野】
【０００１】本発明は、カーテン吊下げ部に縫い付けるカーテン用テープにおいて、カーテン吊り下げフックを取付けるための袋部と、カーテン洗濯時などにフックを収納できる袋部を同時に設けた、カーテン用テープに関するものである。［背景技術］【０００２】従来、カーテンに吊下げ用フックを取付ける場合は、（図１）カーテン上部を重ね合わせ縫合した襞の合わせ目の間１に下からフックを差し込んでいた。この場合、カーテン取り付け作業中にフックが下に脱落したり、カーテンを洗濯機で洗う際にフック２が布地にひっかかって破損したり、アイロンプレスがけが難しい等の障害があった。また、洗濯時のために考案されたフックやテープにおいては、固定された特殊なフックとテープの組み合わせになっている構造上の理由により、（図２）カーテンレール３露出タイプのみである（例えば、特許文献１参照、特許文献２参照）。一般的なフックに用意された（図３）カーテンレール４隠蔽タイプと（図２）カーテンレール３露出タイプの両方を使い分けることが出来ない欠点があった。        ［特許文献１］  特開２００２−１９１４９６号公報（図４）        ［特許文献２］  特公昭６０−１２０４７号公報［発明の開示］  ［発明が解決しようとしている課題］【０００３】本発明は、カーテンの洗濯時にフックを付けたままでも支障なく洗濯機で洗うことができ、アイロンプレスがけにも支障なく作業ができ、且つ、カーテンレール隠蔽タイプフックと露出タイプフックの両方を使い分けることができ、且つカーテン取り付け作業中にフック脱落のない、カーテン用テープを提供することにある。  ［課題を解決するための手段］【０００４】（図４）テープ５に６のフック取り付け用の袋部を設ける。点線は縫い目を示す。袋部は７の部分のみが開口になっており、（図５）７よりフックを横から回すようにして差込み取り付ける。横から差込むため、フックが下に脱落することはない。袋部は布製が良い。【０００５】（図４）テープ５に８の、洗濯時にフックを収納するための袋部を設ける。点線は縫い目を示す。袋部は９の部分が開口になっており、フックを収納するときは９の部分を（図７）つまんで広げフックを押し込む。取り出すときは同じくつまんで広げ取り出す。実験の結果、作業のコツを掴めば非常に簡単に収納、取り出しの作業ができる。袋部は布又はゴム状の物でも良い。【０００６】（図６）１０はフックを取り付けた状態を示し、１１は洗濯時にフックを収納した状態を示す。  ［発明の効果］【０００７】この方法によれば、カーテンの洗濯時にフックを付けたままでも支障なく洗濯機で洗うことができ、カーテンをアイロンプレスする際にも支障なく作業ができる。従来の、カーテン洗濯時にフックを外して又付けるといった煩雑な作業が軽減されることは、コスト削減に大きな効果をもたらす。また特殊なフックを使うことがないため、今まで一般に供給され使われてきたフックを利用できる便利さとともに、カーテンレール隠蔽タイプフックと露出タイプフックを交換することにより両方を使い分けることができる。且つ、カーテン取付け作業中のフック脱落もない。［発明を実施するための最良の形態］【０００８】袋部を設ける方法は、（図４）袋部片を縫い付ける���（図８）テープ本体を折り曲げ重ねて縫う。点線は縫い目を示す。及びテープ本体と交織して一体にするなどである。
【図面の簡単な説明】
【図１】従来のカーテンフックの取付け方法を示す。
【図２】カーテンレールの露出タイプを示す。
【図３】カーテンレールの隠蔽タイプを示す。
【図４】カーテン用テープにフック取付け用袋部と収納用袋部を付けた状態を示す
【図５】フック取付け用袋部にフックを差し込む状態を示す。
【図６】フックが差し込まれた通常の状態、洗濯時にフックが収納された状態を示す。
【図７】洗濯時にフックが収納されるときの状態を示す。
【図８】袋部を作る方法を示す。
【図１】
2006000584.tif 000003
【図２】
2006000584.tif 000004
【図３】
2006000584.tif 000005
【図４】
2006000584.tif 000006
【図５】
2006000584.tif 000007
【図６】
2006000584.tif 000008
【図７】
2006000584.tif 000009
【図８】
2006000584.tif 000010
(57)【要約】【課題】日常身近に置いて、必要時に簡易且つ便利に使用できる車椅子用小物運搬トレイを提供する。【解決手段】本考案はトレイを渡し具に取り付け、車椅子の肘掛に乗せたものであり、その両端は曲げてあり、肘掛に押さえられるようにしたものである。水差し、コップのような小物をそのトレイに載せて家の中などを移動できるようにしたものである。【選択図】図１
2006000590.tif 000002
【特許請求の範囲】
【請求項１】
伸縮可能な渡し具の上にトレイを固定し、渡し具の両端を曲げ、車椅子の両肘掛を押さえるようにした脱着容易な車椅子用小物運搬トレイ
【発明の詳細な説明】
【発明の詳細な説明】
【技術分野】
【０００１】  本発明は、渡し具に固定した車椅子用小物運搬トレイに関するものである．
【背景技術】
【０００２】  車椅子使用時の介護用品として車椅子の両肘にのせるテーブルはあるが、主に食事用テーブルとして使用するものであり，小物運搬用としては大きく重い。
【発明が解決しようとする課題】
【０００３】  車椅子使用時に水のみ、茶碗、小皿のような小物を家の中などで運ぶことはで困難である。脱着の容易な小さな運搬具で前述の欠点を解決しようとするものである。
【課題を解決するための手段】
【０００４】  本発明はトレイを伸縮渡し具に取り付け、車椅子の肘掛に乗せたものであり、その両端は曲げてあり、肘掛に軽く押さえられるようにしたものである。水差し、コップのような小物をそのトレイに載せて家の中などを移動できるようにしたものである。
【発明を実施するための最良の形態】
【０００５】  本車椅子用小物運搬トレイは車椅子の肘掛前方部分に簡便に取り付け取り外しが可能である。図１に本発明の車椅子用小物運搬トレイの一実施例を示す。図２に本車椅子用小物運搬トレイの斜視図を示した。図３に車椅子用小物運搬トレイの部分構成を示した。図３で１のプラスチックトレイを２の伸縮渡し具にビスにて固定する。２の構造は肘掛と平行部分の２枚の安定板３と、直行する伸縮調整板４−１と伸縮調整板４−２からなる。伸縮調整板４−１と伸縮調整板４−２は蝶ビスと蝶ナットにて固定され、さらに両端は下方に折れ曲がっている。伸縮調整板の結合部の詳細を５，６に示す。７に結合した図を示す。折れ曲がり部分は外側へカーブしており、脱着し易くしている。このトレイは伸縮渡し具の折れ曲がり部分で肘掛が挟まれることにより生じる弾力により肘掛に固定される。
【発明の効果】
【０００６】  本車椅子用小物運搬トレイは軽量で車椅子の肘掛に容易に脱着可能である。装着すれば車椅子使用時に小物をその上に載せて運搬できる。またその上で作業もできる。
【図面の簡単な説明】
【図１】本発明の車椅子用小物運搬トレイの一実施例を示す斜視図である。
【図２】本車椅子用小物運搬トレイの斜視図である。
【図３】車椅子用小物運搬トレイの部分構成
【符号の説明】
１  トレイ
２  伸縮渡し具
３  安定板
４−１  伸縮調整板
４−２  伸縮調整板
５  伸縮調整板の詳細
６  伸縮調整板の詳細
７  ４−１と４−２を蝶ビス蝶ナットで止めた図
【図１】
2006000590.tif 000003
【図２】
2006000590.tif 000004
【図３】
2006000590.tif 000005